(57)【要約】【課題】画像データの無駄な再送信を防ぐことができる複合機を提供する。【解決手段】ファクシミリ通信又は電子メール通信による画像データの送信先を示すファクシミリ番号、メールアドレス及び再送信先を示すファクシミリ番号を記憶し、送信先への送信に失敗した場合、再送信先を示すファクシミリ番号を発呼し、再送信先へ画像データを再送信するようにしてある複合機１に、画像データの再送信の要否を受け付ける受付手段と、該受付手段の受付結果に応じて、画像データの再送信の要否を示す再送信要否情報を記憶する送信先記憶部２４と、記憶した電子メールに係る送信先への画像データ送信に失敗した場合、送信先記憶部２４が記憶した再送信要否情報に基づいて、再送信の要否を判定する判定手段と、該判定手段が再送信要と判定した場合、記憶したファクシミリ番号に係る再送信先へ画像データを再送信する手段とを備える。【選択図】図１
2007194920.tif 000002
【特許請求の範囲】
【請求項１】
ファクシミリ通信又は電子メール通信によるデータの送信先を示す送信先情報及び該データの再送信先を示す再送信先情報を記憶し、送信先情報に係る送信先へのデータ送信に失敗した場合、再送信先情報に係る再送信先へデータを再送信するようにしてある通信装置において、
再送信の要否を受け付ける受付手段と、
該受付手段の受付結果に応じて、再送信の要否を示す再送信要否情報を記憶する記憶手段と、
送信先情報に係る送信先へのデータ送信に失敗した場合、前記記憶手段が記憶した再送信要否情報に基づいて、再送信の要否を判定する判定手段と、
該判定手段が再送信要と判定した場合、再送信先情報に係る送信先へデータを再送信する手段と
を備えることを特徴とする通信装置。
【請求項２】
時刻を計時する計時手段と、
再送信を禁止する時間帯を受け付ける送信時間受付手段と、
該送信時間受付手段が受け付けた時間帯を記憶する手段と
を備え、
前記判定手段は、
前記計時手段が計時している時刻が前記時間帯外にあり、前記記憶手段が記憶した再送信要否情報が再送信を要することを示している場合、再送信要と判定し、前記計時手段が計時している時刻が前記時間帯内にある場合、又は再送信要否情報が再送信を要しないことを示している場合、再送信不要と判定するようにしてある
ことを特徴とする請求項１に記載の通信装置。
【請求項３】
送信先情報に係る送信先又は再送信先情報に係る再送信先へのデータの送信結果を表示する手段を備える
ことを特徴とする請求項１又は請求項２に記載の通信装置。
【請求項４】
送信先情報に係る送信先又は再送信先情報に係る再送信先へのデータの送信結果を印字する手段を備える
ことを特徴とする請求項１又は請求項２に記載の通信装置。
【請求項５】
前記受付手段は、
再送信の要否をハイパーテキスト転送プロトコルにて受け付ける手段を備える
ことを特徴とする請求項１乃至請求項４のいずれか一つに記載の通信装置。
【発明の詳細な説明】
【技術分野】
【０００１】
本発明は、ファクシミリ通信又は電子メール通信によるデータの送信先を示す送信先情報及び再送信先を示す再送信先情報を記憶し、送信先情報に係る送信先へのデータ送信に失敗した場合、再送信先情報に係る再送信先へデータを再送信する通信装置に関する。
【背景技術】
【０００２】
電子メール通信による送信先を示すメールアドレス及びファクシミリ通信による再送信先を示すファクシミリ番号を対応付けて記憶する記憶部を備え、記憶部が記憶したメールアドレスによってデータを送信し、データ送信に失敗した場合、ファクシミリ番号を発呼して前記データをファクシミリ通信にて再送信するように構成された通信装置が提案されている（例えば、特許文献１）。
【特許文献１】特開平１１−１７８３４号公報
【発明の開示】
【発明が解決しようとする課題】
【０００３】
しかしながら、従来の通信装置は、再送信先のファクシミリ番号を記憶している場合、データ送信に失敗したとき、ファクシミリ番号を発呼してデータを再送信するため、通信装置の使用者が再送信を要しない場合にもデータが再送信されるという問題があった。
なお、データを再送信しないように、再送信先のファクシミリ番号を消去した場合、データは再送信されないが、データの再送信が必要となった場合、再度、再送信先のファクシミリ番号を設定する必要があり、再送信の要否の選択が非常に面倒である。
【０００４】
本発明は、斯かる事情に鑑みてなされたものであり、再送信の要否を受け付けて、再送信の要否を示す再送信要否情報を記憶しておき、データの送信に失敗した場合、再送信要否情報に基づいて、再送信の要否を判定し、再送信要と判定したとき、データを再送信するように構成することにより、再送信を要する場合のみ適宜データを再送信し、従来の通信装置に比べてより簡易に無駄な再送信を防ぐことができる通信装置を提供することを目的とする。
【０００５】
本発明の他の目的は、データの再送信を禁止する時間帯を受け付けて、該時間帯を記憶しておき、再送信する時刻が前記時間帯外にあり、再送信要否情報が再送信を要することを示している場合、データを再送信し、再送信する時刻が前記時間帯内にある場合、又は再送信要否情報が再送信を要しないことを示している場合、データを再送信しないように構成することにより、設定された時間帯におけるデータの再送信を禁止することができる通信装置を提供することにある。
【０００６】
本発明の他の目的は、送信先又は再送信先へのデータの送信結果を表示するように構成することにより、送信又は再送信の成否を報知することができる通信装置を提供することにある。
【０００７】
本発明の他の目的は、送信先又は再送信先へのデータの送信結果を印字するように構成することにより、送信又は再送信の成否を、用紙に印字された送信結果にて報知することができる通信装置を提供することにある。
【０００８】
本発明の他の目的は、再送信の要否をハイパーテキスト転送プロトコルにて受け付けるように構成することにより、外部の通信端末装置のブラウザを介して、再送信の要否を受け付け、無駄な再送信を防ぐことができる通信装置を提供することにある。
【課題を解決するための手段】
【０００９】
第１発明に係る通信装置は、ファクシミリ通信又は電子メール通信によるデータの送信先を示す送信先情報及び該データの再送信先を示す再送信先情報を記憶し、送信先情報に係る送信先へのデータ送信に失敗した場合、再送信先情報に係る再送信先へデータを再送信するようにしてある通信装置において、再送信の要否を受け付ける受付手段と、該受付手段の受付結果に応じて、再送信の要否を示す再送信要否情報を記憶する記憶手段と、送信先情報に係る送信先へのデータ送信に失敗した場合、前記記憶手段が記憶した再送信要否情報に基づいて、再送信の要否を判定する判定手段と、該判定手段が再送信要と判定した場合、再送信先情報に係る送信先へデータを再送信する手段とを備えることを特徴とする。
【００１０】
第１発明にあっては、受付手段が再送信の要否を受け付け、受付結果に応じた再送信要否情報を記憶手段が記憶する。
予め記憶している送信先情報に係る送信先へのデータ送信に失敗した場合、記憶手段が記憶している再送信要否情報に基づいて、判定手段が再送信の要否を判定する。そして、判定手段が再送信要と判定した場合、通信装置は、再送信先情報に係る再送信先へデータを再送信する。
なお、再送信の要否の受け付けは、再送信を要することのみを受け付けるように構成しても良い。同様に、再送信を不要とすることのみ、再送信を要するか否か、又は再送信を不要とするか否かを受け付けるように構成しても良い。
【００１１】
第２発明に係る通信装置は、時刻を計時する計時手段と、再送信を禁止する時間帯を受け付ける送信時間受付手段と、該送信時間受付手段が受け付けた時間帯を記憶する手段とを備え、前記判定手段は、前記計時手段が計時している時刻が前記時間帯外にあり、前記記憶手段が記憶した再送信要否情報が再送信を要することを示している場合、再送信要と判定し、前記計時手段が計時している時刻が前記時間帯内にある場合、又は再送信要否情報が再送信を要しないことを示している場合、再送信不要と判定するようにしてあることを特徴とする。
【００１２】
第２発明にあっては、再送信を禁止する時間帯を送信時間受付手段が受け付け、通信装置は、受け付けた前記時間帯を記憶する。
予め記憶している送信先情報に係る送信先へのデータ送信に失敗した場合、判定手段は、計時手段の計時結果、記憶している前記時間帯、再送信要否情報に基づいて、再送信の要否を判定する。つまり、判定手段は、再送信する時刻が前記時間帯外にあり、再送信要否情報が再送信を要することを示している場合、再送信要と判定し、再送信する時刻が前記時間帯内である場合、又は再送信要否情報が再送信を要しないことを示している場合、再送信不要と判定する。
従って、再送信する時刻が前記時間帯内にある場合、データは再送信されず、再送信する時刻が前記時間帯外にあり、且つ再送信要否情報が再送信を要することを示している場合、データは再送信される。
【００１３】
第３発明に係る通信装置は、送信先情報に係る送信先又は再送信先情報に係る再送信先へのデータの送信結果を表示する手段を備えることを特徴とする。
【００１４】
第３発明にあっては、通信装置は、送信先情報に係る送信先へのデータの送信結果を表示する。例えば、送信先へのデータの送信に成功した旨、又は送信先へのデータの送信に失敗した旨を表示する。
また、通信装置は、再送信先情報に係る再送信先へのデータの送信結果を表示する。例えば、再送信先へのデータの再送信に成功した旨、又は再送信先へのデータの再送信に失敗した旨を表示する。
【００１５】
第４発明に係る通信装置は、送信先情報に係る送信先又は再送信先情報に係る再送信先へのデータの送信結果を印字する手段を備えることを特徴とする。
【００１６】
第４発明にあっては、通信装置は、送信先情報に係る送信先へのデータの送信結果を印字する。例えば、送信先へのデータの送信に成功した旨、又は送信先へのデータの送信に失敗した旨を示す文字を用紙に印字する。
また、通信装置は、再送信先情報に係る再送信先へのデータの送信結果を印字する。例えば、再送信先へのデータの再送信に成功した旨、又は再送信先へのデータの再送信に失敗した旨を示す文字を用紙に印字する。
【００１７】
第５発明に係る通信装置は、前記受付手段が、再送信の要否をハイパーテキスト転送プロトコルにて受け付ける手段を備えることを特徴とする。
【００１８】
第５発明にあっては、受付手段が再送信の要否をハイパーテキスト転送プロトコルにて受け付けるため、ハイパーテキスト転送プロトコルにてデータを送信できる外部の通信端末装置のブラウザを介して、再送信の要否を受け付けることができる。
従って、通信装置の使用者は、再送信の要否を前記通信端末装置を介して設定することができる。
【発明の効果】
【００１９】
本発明によれば、送信先へのデータ送信に失敗した際、再送信を要する場合のみ適宜データを再送信し、従来の通信装置に比べてより簡易に無駄な再送信を防ぐことができる。
【００２０】
本発明によれば、再送信の要否を受け付けると共に、データの再送信を禁止する時間帯を受け付けることができ、設定された時間帯におけるデータの再送信を禁止することができる。
【００２１】
本発明によれば、送信先又は再送信先へのデータの送信結果を表示することで、該送信結果を報知することができる。
【００２２】
本発明によれば、送信先又は再送信先へのデータの送信結果を印字することで、該送信結果を報知することができる。
【００２３】
本発明によれば、外部の通信端末装置のブラウザを介して、再送信の要否を受け付け、無駄な再送信を防ぐことができることができる。
【発明を実施するための最良の形態】
【００２４】
以下、本発明をその実施の形態を示す図面に基づいて詳述する。
（実施の形態１）
図１は、本発明の実施の形態に係る複合機１及び通信端末装置３からなるファクシミリ通信システムの構成を示すブロック図である。
図中１は、複合機であり、コピー機能、ファクシミリ機能、ＰＣファクシミリ機能等を有している。
【００２５】
複合機１は、ＣＰＵを有する制御部１１、原稿を読み取り、原稿の画像データを取得する読取部１３、取得した画像データを一時的に蓄積する画像メモリ１６、及び画像メモリ１６に蓄積された画像データに基づいて、画像を用紙に形成、つまり印刷するプリンタ部１５を備えている。制御部１１は、バス２５を介して画像データの取得及び形成を制御することで、コピー機能を実現するように構成されている。
【００２６】
バス２５には、ＲＯＭ１８及びＲＡＭ２０が接続されている。ＲＯＭ１８は、フラッシュメモリからなり、複合機１の動作に必要な各種制御プログラムを格納している。制御部１１は、ＲＯＭ１８に格納されている制御プログラムをＲＡＭ２０に読み出して実行することにより、複合機１のコピー機能、ファクシミリ機能、ＰＣファクシミリ機能等の各種機能を実現する。
【００２７】
読取部１３は、原稿に光を照射する光源、原稿で反射された反射光を電気信号に変換するラインＣＣＤ等の光学素子を備えており、ラインＣＣＤが変換した電気信号に基づいて原稿の画像データを取得する。そして、読取部１３は、取得した画像データを画像メモリ１６に記憶させる。
【００２８】
プリンタ部１５は、感光ドラム、定着器等を備える電子写真方式のプリンタ装置であって、印刷処理用のコンピュータプログラムを格納した図示しないフラッシュＲＯＭを備えており、フラッシュＲＯＭに格納されたコンピュータプログラムに従って、画像データに係る画像を用紙に印刷する。
【００２９】
また、複合機１は、ファクシミリ通信にて画像データを送受信するためのＮＣＵ（Ｎｅｔｗｏｒｋ  Ｃｏｎｔｒｏｌ  Ｕｎｉｔ）１２及びモデム１４、並びに送受信される画像データを所定の符号化方式、例えばＭＨ，ＭＲ，ＭＭＲ等の符号化方式に従って符号化及び復号化する符号化・復号化部２２を備えており、制御部１１は、画像データの送受信、原稿の読み取り、画像の印刷を制御することで、ファクシミリ機能を実現する。
【００３０】
更に、複合機１は、ＰＣファクシミリ通信、即ち通信端末装置３を介したファクシミリ通信にて画像データを送信するためのＬＡＮインタフェース２１を備えている。ＬＡＮインタフェース２１は、バス２５に接続されており、ＬＡＮ２を介して、外部の通信端末装置３から送信された画像データ、画像データの送信先を示すファクシミリ番号、又はメールアドレス等の送信先に係る情報を受信するように構成されている。
【００３１】
モデム１４は、バス２５に接続されており、公衆電話回線網（ＰＳＴＮ：Ｐｕｂｌｉｃ  Ｓｗｉｔｃｈｅｄ  Ｔｅｌｅｐｈｏｎｅ  Ｎｅｔｗｏｒｋ）から入力されたアナログの画像データをデジタルの画像データに復調し、また制御部１１の制御によってバス２５を介して与えられた画像データをアナログの信号に変調する機能を備えている。
【００３２】
ＮＣＵ１２は、公衆電話回線網との回線４の閉結及び開放の動作を行うハードウェアであり、制御部１１の制御に応じてモデム１４とＰＳＴＮとを接続する。
【００３３】
制御部１１は、通信端末装置３から送信された画像データ又は読取部１３が読み取った画像データをＴＩＦＦ又はＰＤＦ形式の画像データに変換する機能を備えている。
符号化・復号化部２２は、制御部１１の制御に応じて、ＴＩＦＦ又はＰＤＦ形式に変換された画像データを符号化して、符号化した画像データをモデム１４に与えることで、該画像データを、ファクシミリ通信真にて送信するように構成されている。
【００３４】
また、制御部１１は、ＴＩＦＦ又はＰＤＦ形式に変換した画像データを電子メール通信にて送信するように構成されている。
【００３５】
また、バス２５には、複合機１を操作するための操作部１９、表示部１７、日時を計時する時計部２３、送信先記憶部２４が接続されている。表示部１７は、複合機１の動作状態、複合機１を操作するためのソフトキーを表示する液晶ディスプレイを備えている。
【００３６】
操作部１９は、表示部１７に対向配置された抵抗膜方式、又は静電容量方式のタッチパネルを備え、表示部１７に表示されたソフトキーの操作を受け付け、制御部１１がタッチパネルの操作状態を検出することができるように構成されている。
また、操作部１９は、押しボタン式のキー、例えば印刷部数を設定するためのテンキー、スタートキー、印刷部数等の各種設定を初期化するためのリセットキー等を備えている。
【００３７】
送信先記憶部２４は、送信先のファクシミリ番号、メールアドレス、再送信先のファクシミリ番号、及び再送信の要否を示す再送信要否情報等を記憶するメモリである。
【００３８】
図２は、通信端末装置３の構成を示すブロック図である。
通信端末装置３は、制御部３１、ＲＯＭ３２、ＲＡＭ３４、及び記憶装置３３を備えており、ＲＯＭ３２、ＲＡＭ３４及び記憶装置３３は、バス３８を介して制御部３１に接続されている。
【００３９】
また、バス３８には、液晶ディスプレイ等の表示装置５が接続される第１インタフェース３６と、マウス、キーボード等の入力装置６が接続される第２インタフェース３７とが接続されている。
【００４０】
更に、バス３８には、ＬＡＮインタフェース３５が接続されており、ＬＡＮインタフェース３５は、ＬＡＮ２を介して複合機１に接続されている。
【００４１】
ＲＯＭ３２及び記憶装置３３は、制御部３１の動作に必要なコンピュータプログラムを記憶しており、制御部３１は、ＲＯＭ３２及び記憶装置３３が記憶しているコンピュータプログラムをＲＡＭ３４に読み出して実行することにより、表示装置５にブラウザを表示し、ハイパーテキスト転送プロトコルにデータを送受信するＨＴＴＰクライアント機能を実現する。例えば、制御部３１は、画像データ、画像データの送信先を示すファクシミリ番号、メールアドレス、再送信先のファクシミリ番号、再送信の要否を示す再送信要否情報をハイパーテキスト転送プロトコルのｐｏｓｔメソッドにて複合機１へ送信する制御を行う。
【００４２】
図３は、送信先の登録に係る制御部３１の処理手順を示すフローチャート、図４及び図５は、送信先の登録画面７の模式図である。
通信端末装置３の制御部３１は、送信先の新規登録、又は登録済みの送信先の編集登録に関する処理の開始を受け付けた場合、受付結果に応じて送信先情報の新規登録であるか否かを判定する（ステップＳ１１）。新規登録であると判定した場合（ステップＳ１１：ＹＥＳ）、制御部３１は、図４に示すように、送信先のファクシミリ番号（送信先情報）、メールアドレス（送信先情報）、再送信先のファクシミリ番号（再送信先情報）、送信先の名前、会社名、及び再送信の要否を受け付けるための登録画面７をブラウザに表示する（ステップＳ１２）。
【００４３】
具体的には、制御部３１は、送信先の新規登録を複合機１に要求する。制御部１１は、通信端末装置３から送信された登録の要求に応じて、送信先のファクシミリ番号、メールアドレス、再送信先のファクシミリ番号、再送信の要否を受け付けるための登録画面７を表示するＨＴＭＬ（Ｈｙｐｅｒ  Ｔｅｘｔ  Ｍａｒｋｕｐ  Ｌａｎｇｕａｇｅ）データを送信するように構成されており、制御部３１は、要求に応じて複合機１から送信された登録画面７を表示するためのＨＴＭＬデータを、ハイパーテキスト転送プロトコルにて受信し、受信したＨＴＭＬデータに基づいて登録画面７をブラウザに表示する。
【００４４】
登録画面７は、送信先の名前、会社名、送信先のファクシミリ番号、電子メール、及び再送信先のファクシミリ番号を入力するためのテキストエリア７０，７１，７２，７３，７４、再送信の要否を受け付けるためのラジオボタン７５、送信先を登録するための「設定」ボタン７６、「戻る」ボタン７７等をフォームに配して構成されている。
【００４５】
新規登録でないと判定した場合（ステップＳ１１：ＮＯ）、つまり登録済みの送信先情報の編集登録であると判定した場合、送信先の編集登録を複合機１に要求し、要求に応じて複合機１から送信されたＨＴＭＬデータを受信し、受信したＨＴＭＬデータに基づいて、編集対象のファクシミリ番号、メールアドレスが入力された登録画面７を表示する（ステップＳ１３）。
【００４６】
ステップＳ１２又はステップＳ１３の処理を終えた場合、制御部３１は、図５に示すように、送信先のファクシミリ番号を受け付け（ステップＳ１４）、また送信先のメールアドレスを受け付ける（ステップＳ１５）。更に、制御部３１は、再送信先のファクシミリ番号を受け付け（ステップＳ１６）、再送信の要否を受け付ける（ステップＳ１７）。
【００４７】
そして、制御部３１は、送信先の名前を受け付け（ステップＳ１８）、また送信先の会社名を受け付ける（ステップＳ１９）。
【００４８】
次いで、制御部３１は、入力装置６の操作状態を検出することで、「戻る」ボタン７７が操作されたか否かを判定する（ステップＳ２０）。例えば、制御部３１は、「戻る」ボタン７７上にマウスのカーソルがある状態でマウスのボタンがクリックされたことを検出した場合、「戻る」ボタン７７が操作されたと判定する。
【００４９】
「戻る」ボタン７７が操作されたと判定した場合（ステップＳ２０：ＹＥＳ）、制御部３１は、送信先の登録に係る処理を終える。
【００５０】
「戻る」ボタン７７が操作されていないと判定した場合（ステップＳ２０：ＮＯ）、制御部３１は、入力装置６の操作状態を検出することで、「設定」ボタン７６が操作されたか否かを判定する（ステップＳ２１）。「設定」ボタン７６が操作されたと判定した場合（ステップＳ２１：ＹＥＳ）、制御部３１は、ステップＳ１４乃至ステップＳ１９で受け付けた送信先のファクシミリ番号、メールアドレス、再送信先のファクシミリ番号、再送信の要否を示す再送信要否情報等を、ハイパーテキスト転送プロトコルのｐｏｓｔメソッドにて複合機１へ送信し（ステップＳ２２）、送信先の登録に係る処理を終える。「設定」ボタン７６が操作されていないと判定した場合（ステップＳ２１：ＮＯ）、制御部３１は、処理をステップＳ１４に戻す。
【００５１】
図６は、送信先の登録に係る制御部１１の処理手順を示すフローチャートである。
複合機１の制御部１１は、ＬＡＮインタフェース２１によるデータの受信を監視しており、制御部１１は、ハイパーテキスト転送プロトコルのｐｏｓｔメソッドにてデータを受信したか否かを判定する（ステップＳ４１）。データを受信していないと判定した場合（ステップＳ４１：ＮＯ）、制御部１１は、処理をステップＳ４１に戻す。データを受信したと判定した場合（ステップＳ４１：ＹＥＳ）、制御部１１は、受信したデータが送信先のファクシミリ番号又はメールアドレスを含むか否かを判定する（ステップＳ４２）。送信先のファクシミリ番号又はメールアドレスを含むと判定した場合（ステップＳ４２：ＹＥＳ）、制御部１１は、受信したデータが名前又は会社名を含むか否かを判定する（ステップＳ４３）。
名前又は会社名のデータのいずれも含まないと判定した場合（ステップＳ４３：ＮＯ）、又は送信先のファクシミリ番号及びメールアドレスのいずれも含まないと判定した場合（ステップＳ４２：ＮＯ）、制御部１１は、送信先の登録に係る処理を終える。
【００５２】
受信したデータが名前又は会社名を含むと判定した場合（ステップＳ４３：ＹＥＳ）、制御部１１は、受信したデータが再送信先のファクシミリ番号を含むか否かを判定する（ステップＳ４４）。
【００５３】
再送信先のファクシミリ番号がないと判定した場合（ステップＳ４４：ＮＯ）、制御部１１は、送信先のファクシミリ番号、メールアドレス、名前、会社名等を、送信先記憶部２４の送信先レコードに登録し（ステップＳ４５）、送信先の登録に係る処理を終える。再送信先のファクシミリ番号があると判定した場合（ステップＳ４４：ＹＥＳ）、制御部１１は、受信したデータに基づいて、再送信の要否を判定する（ステップＳ４６）。
【００５４】
再送信要と判定した場合（ステップＳ４６：ＹＥＳ）、制御部１１は、送信先のファクシミリ番号、メールアドレス、再送信先のファクシミリ番号、名前、会社名、再送信を要することを示す再送信要否情報等を送信先レコードに登録し（ステップＳ４７）、送信先の登録に係る処理を終える。
【００５５】
再送信不要と判定した場合（ステップＳ４６：ＮＯ）、制御部１１は、送信先のファクシミリ番号、メールアドレス、再送信先のファクシミリ番号、名前、会社名、再送信を要しないことを示す再送信要否情報を送信先レコードに登録し（ステップＳ４８）、送信先の登録に係る処理を終える。
【００５６】
図７及び図８は、データの送信及び再送信に係る制御部１１の処理手順を示すフローチャートである。
制御部１１は、ＬＡＮインタフェース２１を介して、ファクシミリ通信又は電子メール通信による画像データの送信要求を受け付けた場合、ファクシミリ通信又は電子メール通信にて画像データを送信する（ステップＳ６１）。
【００５７】
次いで、制御部１１は、画像データの送信に成功したか否かを判定する（ステップＳ６２）。例えば、制御部１１は、図示しない外部装置、例えばＳＭＴＰ（Ｓｉｍｐｌｅ  Ｍａｉｌ  Ｔｒａｎｓｆｅｒ  Ｐｒｏｔｏｃｏｌ）サーバから受信完了の信号を受信した場合、画像データの送信に成功したと判定し、ＳＭＴＰサーバからエラー信号を受信した場合、画像データの送信に失敗したと判定する。
【００５８】
画像データの送信に成功したと判定した場合（ステップＳ６２：ＹＥＳ）、制御部１１は、送信に成功した旨を表示及び印字し（ステップＳ６３）、データの送信及び再送信に係る処理を終える。
例えば、制御部１１は、送信に成功した旨を示す文字又は画像の画像データを表示部１７に与え、該画像データをＬＡＮインタフェース２１を介して通信端末装置３へ送信する。表示部１７及び通信端末装置３は、前記画像データに基づいて、送信に成功した旨を表示する。
また、制御部１１は、前記画像データをプリンタ部１５に与える。プリンタ部１５は、前記画像データに基づいて送信に成功した旨を印字、つまりその旨を示す文字を用紙に印刷する。
【００５９】
画像データの送信に失敗したと判定した場合（ステップＳ６２：ＮＯ）、制御部１１は、送信先記憶部２４の送信先レコードに登録されたファクシミリ番号又はメールアドレスによって、画像データを送信したか否かを判定する（ステップＳ６４）。例えば、画像データの送信先として、送信先レコードに登録されたメールアドレスを指定した送信要求を受けて、画像データを送信した場合、制御部１１は、送信先レコードに登録されたメールアドレスによって、画像データを送信したと判定する。
【００６０】
送信先レコードに登録されたメールアドレスによって、画像データを送信したと判定した場合（ステップＳ６４：ＹＥＳ）、制御部１１は、送信先レコードに登録された再送信要否情報に基づいて、再送信の要否を判定する（ステップＳ６５）。
【００６１】
再送信要と判定した場合（ステップＳ６５：ＹＥＳ）、制御部１１は、再送信先のファクシミリ番号が送信先レコードに登録されているか否かを判定する（ステップＳ６６）。再送信先のファクシミリ番号が登録されていると判定した場合（ステップＳ６６：ＹＥＳ）、制御部１１は、再ダイヤル回数Ｎに１を設定する（ステップＳ６７）。そして、制御部１１は、再送信先のファクシミリ番号を発呼し、ファクシミリ通信にて画像データを再送信する（ステップＳ６８）。
【００６２】
再送信先のファクシミリ番号が登録されていないと判定した場合（ステップＳ６６：ＮＯ）、再送信不要と判定した場合（ステップＳ６５：ＮＯ）、又は送信先レコードに登録されたメールアドレスによって画像データを送信していないと判定した場合（ステップＳ６４：ＮＯ）、制御部１１は、送信に失敗した旨を表示及び印字し（ステップＳ６９）、データの送信及び再送信に係る処理を終える。
例えば、制御部１１は、送信に失敗した旨を示す文字又は画像の画像データを表示部１７に与え、該画像データをＬＡＮインタフェース２１を介して通信端末装置３へ送信する。表示部１７及び通信端末装置３は、前記画像データに基づいて、送信に失敗した旨を表示する。
また、制御部１１は、前記画像データをプリンタ部１５に与える。プリンタ部１５は、前記画像データに基づいて送信に失敗した旨を印字、つまりその旨を示す文字を用紙に印刷する。
【００６３】
ステップＳ６８の処理を終えた場合、制御部１１は、画像データの再送信に成功したか否かを判定する（ステップＳ７０）。再送信に成功したと判定した場合（ステップＳ７０：ＹＥＳ）、制御部１１は、再送信に成功した旨を表示及び印字し（ステップＳ７１）、データの送信及び再送信に係る処理を終える。
例えば、制御部１１は、ステップＳ６３と同様に、再送信に成功した旨を表示部１７及び通信端末装置３に表示させ、再送信に成功した旨をプリンタ部１５に印字させる。
【００６４】
再送信に失敗したと判定した場合（ステップＳ７０：ＮＯ）、制御部１１は、再ダイヤル可能か否か、つまり再ダイヤル回数Ｎが所定回数未満か否かを判定する（ステップＳ７２）。
【００６５】
再ダイヤル回数Ｎが所定回数以上であると判定した場合（ステップＳ７２：ＮＯ）、制御部１１は、再送信に失敗した旨を表示した画像を形成し（ステップＳ７３）、データの送信及び再送信に係る処理を終える。
例えば、制御部１１は、ステップＳ６９と同様に、再送信に失敗した旨を表示部１７及び通信端末装置３に表示させ、再送信に失敗した旨をプリンタ部１５に印字させる。
再ダイヤル回数Ｎが所定回数未満であると判定した場合（ステップＳ７２：ＹＥＳ）、制御部１１は、計時を開始する（ステップＳ７４）。
【００６６】
次いで、制御部１１は、所定時間を計時したか否かを判定する（ステップＳ７５）。所定時間を計時したと判定した場合（ステップＳ７５：ＹＥＳ）、制御部１１は、再ダイヤル回数Ｎに１を加算し（ステップＳ７６）、処理をステップＳ６８に戻す。所定時間を計時していないと判定した場合（ステップＳ７５：ＮＯ）、制御部１１は、処理をステップＳ７５に戻す。
【００６７】
実施の形態１に係るファクシミリ通信システム及び複合機１にあっては、画像データの送信に失敗した場合に該画像データを再送信することを要するか否かを受け付け、再送信の要否を示す再送信要否情報を記憶し、送信先への画像データの送信に失敗した際、再送信を要することを示す再送信要否情報を記憶している場合のみ該画像データを再送信する。従って、従来の複合機１に比べてより簡易に無駄な再送信を防ぐことができる。
【００６８】
ファクシミリ通信システムの使用者は、再送信の要否を、ラジオボタン７５の選択によって簡易に設定することができ、画像データの無駄な再送信を防ぐことができる。
【００６９】
また、ラジオボタン７５によって再送信の要否を選択するように構成しているため、ファクシミリ通信システムの使用者は、再送信の要否のいずれが選択されているかを視認することができ、再送信の要否の設定を誤ることを防ぐことができる。
【００７０】
更に、通信端末装置３のブラウザを介して、再送信の要否を受け付けることができ、ファクシミリ通信システムの使用者は、馴染みあるインタフェースを介して、再送信の要否を設定することができる。
【００７１】
更にまた、送信先又は再送信先への画像データの送信結果、つまり送信先への送信に成功した旨、失敗した旨、再送信先への送信に成功した旨、又は失敗した旨を表示部１７及び通信端末装置３に表示させ、送信結果を報知することができる。
【００７２】
更にまた、送信先又は再送信先への送信結果をプリンタ部１５に印字させ、送信結果を報知することができる。
【００７３】
なお、実施の形態１にあっては、画像データを送信する場合を説明したが、画像データに限らず、テキストデータの送信及び再送信に本発明を適用しても良い。
【００７４】
また、再送信先としてファクシミリ番号を受け付けるように構成しているが、再送信先としてメールアドレスを受け付け、画像データの再送信に失敗した場合、再送信先を示すメールアドレスによって、画像データを再送信するように構成しても良い。
【００７５】
更に、画像データを送信及び再送信する複合機１を説明したが、ファクシミリ機能又はＰＣファクシミリ機能を有する通信装置であれば、複合機１に限定されない。
【００７６】
更にまた、再送信の要否を外部の通信端末装置３を介して受け付けるように構成しているが、複合機１が直接受け付けるように構成しても良い。
（実施の形態２）
図９は、実施の形態２における送信先の登録に係る制御部３１の処理手順を示すフローチャートである。
実施の形態２に係る複合機１及び通信端末装置３からなるファクシミリ通信システムは、制御部１１，３１の処理手順のみが実施の形態１に係るファクシミリ通信システムと異なるため、以下では主に上記相違点について説明する。
【００７７】
通信端末装置３の制御部３１は、図３に示した送信先のファクシミリ番号、メールアドレス、再送信先のファクシミリ番号、再送信の要否等の受け付けに係るステップＳ１１乃至ステップＳ１７の処理と同様のステップＳ２１１乃至ステップＳ２１７の処理を実行する。
【００７８】
ステップＳ２１７の処理を終えた場合、制御部３１は、画像データの再送信を禁止する時間帯を受け付ける（ステップＳ２１８）。例えば、制御部３１は、前記時間帯の開始時刻及び終了時刻をブラウザ上のメニューで受け付ける。
【００７９】
ステップＳ２１８の処理を終えた場合、制御部３１は、図３に示した送信先の名前、会社名の受け付け、受け付けたデータの送信に係るステップＳ１８乃至ステップＳ２２と同様のステップＳ２１９乃至ステップＳ２２３の処理を実行する。
【００８０】
図１０は、実施の形態２における送信先の登録に係る制御部１１の処理手順を示すフローチャートである。
【００８１】
制御部１１は、図６に示した送信先情報の登録に係るステップＳ４１乃至ステップＳ４８と同様のステップＳ２４１乃至ステップＳ２４８の処理を実行する。
【００８２】
ステップＳ４７同様のステップＳ２４７又はステップＳ４８同様のステップＳ２４８の処理を終えた場合、制御部１１は、受信したデータに基づいて、再送信を禁止する時間帯を送信先記憶部２４が記憶した送信先レコードに登録し（ステップＳ２４９）、送信先の登録に係る処理を終える。
【００８３】
図１１及び図１２は、データの送信及び再送信に係る制御部１１の処理手順を示すフローチャートである。
制御部１１は、図７に示した画像データの送信、再送信の要否の判定に係るステップＳ６１乃至ステップＳ６５と同様のステップＳ２６１乃至ステップＳ２６５の処理を実行する。
【００８４】
ステップＳ２６５の処理を終えた場合、制御部１１は、時計部２３が計時している時刻を取得する（ステップＳ２６６）。
【００８５】
次いで、制御部１１は、送信先記憶部２４が記憶した送信先レコードに登録されている時間帯に基づいて、ステップＳ２６６で取得した時刻が前記時間帯内、つまり再送信が禁止された時間帯にあるか否かを判定する（ステップＳ２６７）。
【００８６】
前記時間帯外にあると判定した場合（ステップＳ２６７：ＮＯ）、制御部１１は、再送信先のファクシミリ番号が送信先レコードに登録されているか否かを判定する（ステップＳ２６８）。
【００８７】
再送信先のファクシミリ番号が登録されていると判定した場合（ステップＳ２６８：ＹＥＳ）、制御部１１は、再ダイヤル回数Ｎに１を設定する（ステップＳ２６９）。そして、制御部１１は、再送信先のファクシミリ番号を発呼し、ファクシミリ通信にて画像データを再送信する（ステップＳ２７０）。
【００８８】
前記時間帯内にあると判定した場合（ステップＳ２６７：ＹＥＳ）、又は再送信先のファクシミリ番号が登録されていないと判定した場合（ステップＳ２６８：ＮＯ）、制御部１１は、送信に失敗した旨を表示及び印字し（ステップＳ２７１）、データの送信及び再送信に係る処理を終える。
【００８９】
ステップＳ２７０の処理を終えた場合、制御部１１は、図８に示した再送信に成功したか否かの判定、再送信に失敗した旨を表示した画像の形成等に係るステップＳ７０乃至ステップＳ７６の処理と同様のステップＳ２７２乃至ステップＳ２７８の処理を実行する。
【００９０】
実施の形態２に係るファクシミリ通信システムの他の構成、作用及び効果は、実施の形態１に係るファクシミリ通信システムの構成、作用及び効果と同様であるため、対応する箇所には同様の符号を付してその詳細な説明を省略する。
【００９１】
実施の形態２に係るファクシミリ通信システム及び複合機１にあっては、再送信の要否を受け付けると共に、画像データの再送信を禁止する時間帯を受け付けることができ、設定された時間帯での再送信を禁止することができる。
【００９２】
（実施の形態３）
図１３は、実施の形態３における画像データの送信及び再送信に係る制御部１１の処理手順を示すフローチャートである。
実施の形態３に係る複合機１及び通信端末装置３からなるファクシミリ通信システムは、制御部１１，３１の処理手順のみが実施の形態１に係るファクシミリ通信システムと異なるため、以下では主に上記相違点について説明する。
実施の形態３に係る複合機１は、複数の電子メールアドレスによって、画像データを複数の送信先へ送信する機能を備えている。
【００９３】
制御部１１は、ＬＡＮインタフェース２１を介して、電子メール通信による画像データの送信要求を受け付けた場合、電子メール通信にて画像データを送信、つまり図示しないＳＭＴＰサーバへ画像データを送信する（ステップＳ３１１）。
【００９４】
次いで、制御部１１は、ＳＭＴＰサーバから送信されたデータを受信することで、ＳＭＴＰサーバへの画像データの送信に成功したか否かを判定する（ステップＳ３１２）。ＳＭＴＰサーバへの送信に成功したと判定した場合（ステップＳ３１２：ＹＥＳ）、制御部１１は、図示しないＰＯＰ３サーバから送信されるメールのヘッダ情報に基づいて、ＰＯＰ３サーバから送信エラーの返信メールを受信したか否かを判定する（ステップＳ３１４）。ＳＭＴＰサーバへの送信に失敗したと判定した場合（ステップＳ３１２：ＮＯ）、制御部１１は、第１再送信に係るサブルーチンを呼び出して、画像データを再送信し（ステップＳ３１３）、画像データの送信及び再送信に係る処理を終える。
【００９５】
ステップＳ３１４で送信エラーの返信メールを受信したと判定した場合（ステップＳ３１４：ＹＥＳ）、制御部１１は、第２再送信に係るサブルーチンを呼び出して、画像データを再送信する（ステップＳ３１５）。
ステップＳ３１５の処理を終えた場合、又は送信エラーの返信メールを受信していないと判定した場合（ステップＳ３１４：ＮＯ）、制御部１１は、画像データの送信及び再送信に係る処理を終える。
【００９６】
図１４及び図１５は、第１再送信に係るサブルーチンの処理手順を示すフローチャートである。
第１再送信に係るサブルーチンが呼び出された場合、制御部１１は、送信先記憶部２４の送信先レコードに登録されたメールアドレスによって、画像データを送信したか否かを判定する（ステップＳ３３１）。送信先が複数である場合、送信先レコードに登録されたメールアドレスによって一の送信先へ画像データを送信したか否かを判定する。
【００９７】
送信先レコードに登録された一の送信先に係るメールアドレスによって、画像データを送信したと判定した場合（ステップＳ３３１：ＹＥＳ）、制御部１１は、送信先レコードに登録された一の送信先に係る再送信要否情報に基づいて、再送信の要否を判定する（ステップＳ３３２）。
【００９８】
再送信要と判定した場合（ステップＳ３３２：ＹＥＳ）、制御部１１は、一の送信先に係る再送信先のファクシミリ番号が送信先レコードに登録されているか否かを判定する（ステップＳ３３３）。再送信先のファクシミリ番号が登録されていると判定した場合（ステップＳ３３３：ＹＥＳ）、制御部１１は、一の送信先を再送信可能な送信先として記憶する。
【００９９】
再送信先のファクシミリ番号が登録されていないと判定した場合（ステップＳ３３３：ＮＯ）、再送信不要と判定した場合（ステップＳ３３２：ＮＯ）、又は送信先レコードに登録されたメールアドレスによって画像データを送信していないと判定した場合（ステップＳ３３１：ＮＯ）、制御部１１は、一の送信先を再送信不能な送信先として記憶する（ステップＳ３３５）。
【０１００】
ステップＳ３３４又はステップＳ３３５の処理を終えた場合、制御部１１は、ステップＳ３３１乃至ステップＳ３３３の処理によって、全送信先の再送信の可否を判定したか否かを判定する（ステップＳ３３６）。
【０１０１】
全送信先の再送信の可否を判定していないと判定した場合（ステップＳ３３６：ＮＯ）、制御部１１は、処理をステップＳ３３１に戻す。全送信先の再送信の可否を判定したと判定した場合（ステップＳ３３６：ＹＥＳ）、制御部１１は、再送信不能な送信先があるか否かを判定する（ステップＳ３３７）。
【０１０２】
再送信不能な送信先があると判定した場合（ステップＳ３３７：ＹＥＳ）、ステップＳ３３５で記憶した送信先への画像データの送信に失敗した旨を表示及び印字する（ステップＳ３３８）。
【０１０３】
再送信不能な送信先がないと判定した場合（ステップＳ３３７：ＮＯ）、又はステップＳ３３８の処理を終えた場合、制御部１１は、再送信可能な送信先があるか否かを判定する（ステップＳ３３９）。再送信可能な送信先がないと判定した場合（ステップＳ３３９：ＮＯ）、制御部１１は、第１再送信に係るサブルーチンの処理を終える。
【０１０４】
再送信可能な送信先があると判定した場合（ステップＳ３３９：ＹＥＳ）、制御部１１は、再送信可能な一の再送信先のファクシミリ番号を発呼し、画像データをファクシミリ通信にて再送信する（ステップＳ３４０）。
【０１０５】
次いで、制御部１１は、再送信に成功したか否かを判定する（ステップＳ３４１）。再送信に失敗したと判定した場合（ステップＳ３４１：ＮＯ）、制御部１１は、一の再送信先への再送信に失敗したことを記憶する（ステップＳ３４２）。
【０１０６】
ステップＳ３４２の処理を終えた場合、又は再送信に成功したと判定した場合（ステップＳ３４１：ＹＥＳ）、制御部１１は、再送信可能な全送信先へ画像データを再送信したか否かを判定する（ステップＳ３４３）。
【０１０７】
全再送信先へ画像データを再送信していないと判定した場合（ステップＳ３４３：ＮＯ）、制御部１１は、処理をステップＳ３４０に戻す。全再送信先へ画像データを再送信したと判定した場合（ステップＳ３４３：ＹＥＳ）、制御部１１は、再送信に失敗した送信先があるか否かを判定する（ステップＳ３４４）。
【０１０８】
再送信に失敗した送信先があると判定した場合（ステップＳ３４４：ＹＥＳ）、ステップＳ３４２で記憶した再送信先への画像データの再送信に失敗した旨を表示及び印字する（ステップＳ３４５）。
【０１０９】
ステップＳ３４５の処理を終えた場合、又は再送信に失敗した送信先がないと判定した場合（ステップＳ３４４：ＮＯ）、制御部１１は、第１再送信に係るサブルーチンの処理を終える。
【０１１０】
図１６は、第２再送信に係るサブルーチンの処理手順を示すフローチャートである。
第２再送信に係るサブルーチンが呼び出された場合、制御部１１は、送信先記憶部２４の送信先レコードに登録された一の送信先に係るメールアドレスによって、画像データを送信したか否かを判定する（ステップＳ３６１）。
【０１１１】
送信先レコードに登録された一の送信先に係るメールアドレスによって、画像データを送信したと判定した場合（ステップＳ３６１：ＹＥＳ）、制御部１１は、送信先レコードに登録された一の送信先に係る再送信要否情報に基づいて、再送信の要否を判定する（ステップＳ３６２）。
【０１１２】
再送信要と判定した場合（ステップＳ３６２：ＹＥＳ）、制御部１１は、一の再送信先に係る再送信先のファクシミリ番号が送信先レコードに登録されているか否かを判定する（ステップＳ３６３）。再送信先のファクシミリ番号が登録されていると判定した場合（ステップＳ３６３：ＹＥＳ）、制御部１１は、再送信先のファクシミリ番号を発呼し、画像データをファクシミリ通信にて再送信する（ステップＳ３６４）。
【０１１３】
再送信先のファクシミリ番号が登録されていないと判定した場合（ステップＳ３６３：ＮＯ）、再送信不要と判定した場合（ステップＳ３６２：ＮＯ）、又は送信先レコードに登録されたメールアドレスによって画像データを送信していないと判定した場合（ステップＳ３６１：ＮＯ）、制御部１１は、送信先への画像データの送信に失敗した旨を表示した画像を形成し（ステップＳ３６５）、第２再送信に係るサブルーチンの処理を終える。
【０１１４】
ステップＳ３６４の処理を終えた場合、制御部１１は、再送信に成功したか否かを判定する（ステップＳ３６６）。再送信に失敗したと判定した場合（ステップＳ３６６：ＮＯ）、制御部１１は、再送信に失敗した旨を表示及び印字する（ステップＳ３６７）。
【０１１５】
ステップＳ３６７の処理を終えた場合、又は再送信に成功したと判定した場合（ステップＳ３６６：ＹＥＳ）、制御部１１は、第２再送信に係るサブルーチンの処理を終える。
【０１１６】
実施の形態３に係るファクシミリ通信システムにあっては、ＳＭＴＰサーバへの送信には成功したが、後段のＳＭＴＰサーバ、画像データを受信する通信端末装置３側の不具合により、画像データの送信に失敗し、送信エラーの返信メールを受信した場合であっても、適宜再送信を実行することができる。
【０１１７】
また、ＳＭＴＰサーバへの送信に失敗した場合、再送信可能な送信先を特定し、再送信可能な送信先へ、画像データを再送信することができる。
【０１１８】
実施の形態３に係るファクシミリ通信システムの他の構成、作用及び効果は、実施の形態１に係るファクシミリ通信システムの構成、作用及び効果と同様であるため、対応する箇所には同様の符号を付してその詳細な説明を省略する。
【図面の簡単な説明】
【０１１９】
【図１】本発明の実施の形態に係る複合機及び通信端末装置からなるファクシミリ通信システムの構成を示すブロック図である。
【図２】通信端末装置の構成を示すブロック図である。
【図３】送信先の登録に係る制御部の処理手順を示すフローチャートである。
【図４】送信先の登録画面の模式図である。
【図５】送信先の登録画面の模式図である。
【図６】送信先の登録に係る制御部の処理手順を示すフローチャートである。
【図７】データの送信及び再送信に係る制御部の処理手順を示すフローチャートである。
【図８】データの送信及び再送信に係る制御部の処理手順を示すフローチャートである。
【図９】実施の形態２における送信先の登録に係る制御部の処理手順を示すフローチャートである。
【図１０】実施の形態２における送信先の登録に係る制御部の処理手順を示すフローチャートである。
【図１１】データの送信及び再送信に係る制御部の処理手順を示すフローチャートである。
【図１２】データの送信及び再送信に係る制御部の処理手順を示すフローチャートである。
【図１３】実施の形態３における画像データの送信及び再送信に係る制御部の処理手順を示すフローチャートである。
【図１４】第１再送信に係るサブルーチンの処理手順を示すフローチャートである。
【図１５】第１再送信に係るサブルーチンの処理手順を示すフローチャートである。
【図１６】第２再送信に係るサブルーチンの処理手順を示すフローチャートである。
【符号の説明】
【０１２０】
１  複合機
２  ＬＡＮ
３  通信端末装置
５  表示装置
６  入力装置
１１  制御部
１２  ＮＣＵ
１３  読取部
１４  モデム
１５  プリンタ部
１６  画像メモリ
１７  表示部
１９  操作部
２１  ＬＡＮインタフェース
２２  符号化・復号化部
２３  時計部
２４  送信先記憶部
３１  制御部
３３  記憶装置
３５  ＬＡＮインタフェース
【図１】
2007194920.tif 000003
【図２】
2007194920.tif 000004
【図３】
2007194920.tif 000005
【図４】
2007194920.tif 000006
【図５】
2007194920.tif 000007
【図６】
2007194920.tif 000008
【図７】
2007194920.tif 000009
【図８】
2007194920.tif 000010
【図９】
2007194920.tif 000011
【図１０】
2007194920.tif 000012
【図１１】
2007194920.tif 000013
【図１２】
2007194920.tif 000014
【図１３】
2007194920.tif 000015
【図１４】
2007194920.tif 000016
【図１５】
2007194920.tif 000017
【図１６】
2007194920.tif 000018